(57)【要約】【課題】多様なタイプの建物に対応して、軒樋を簡単な作業で取り付けることができる軒樋吊具を提供する。【解決手段】軒樋吊具は、軒樋を支持する支持体１と、支持体１に連結される連結体２を具備する。支持体１は、上下に貫通した長孔１５を有する。連結体２は、長孔１５に挿入される突起部２１と、長孔１５の幅よりも大きな直径のボルト孔２２を有する。ボルト孔２２は、屋根から下方に突出したボルト８が挿通されるように、上下に一直線状に貫通している。【選択図】図４
2018109282.tif 000002
【特許請求の範囲】
【請求項１】
第一方向に伸びる軒樋を支持するように構成された支持体と、
前記支持体に連結される連結体と、を具備し、
前記支持体は、前記第一方向と直交する第二方向に長くかつ上下に貫通した長孔を有し、
前記連結体は、前記長孔に挿入される突起部と、前記長孔の前記第一方向の幅よりも大きな直径のボルト孔と、を有し、
前記ボルト孔は、屋根から下方に突出したボルトが挿通されるように、上下に一直線状に貫通している
ことを特徴とする軒樋吊具。
【請求項２】
前記連結体は、上部材と、前記上部材の下方に配される下部材と、を含み、
前記突起部は、前記長孔に対して上側から挿入されるように前記上部材に形成された上突起と、前記長孔に対して下側から挿入されるように前記下部材に形成された下突起と、を含み、
前記ボルト孔は、前記ボルトが挿通されるように前記上部材に形成された上ボルト孔と、前記ボルトが挿通されるように前記下部材に形成された下ボルト孔と、を含む
ことを特徴とする請求項１に記載の軒樋吊具。
【請求項３】
前記上部材は、上接触面を有し、
前記下部材は、前記上接触面に摺接するように構成された下接触面を有し、
前記上接触面と前記下接触面は共に、水平面に対して傾いた傾斜面である
ことを特徴とする請求項２に記載の軒樋吊具。
【請求項４】
前記上部材は、前記支持体の前記第一方向の第１端部に当たるように構成された第一押圧面を、さらに有し、
前記下部材は、前記支持体の前記第１端部とは前記第一方向において反端側の第２端部に当たるように構成された第二押圧面を、さらに有し、
前記上部材と前記下部材は、前記下接触面に対して前記上接触面が斜め下方に移動するほどに、前記第一押圧面と前記第二押圧面が接近するように構成されている
ことを特徴とする請求項３に記載の軒樋吊具。
【発明の詳細な説明】
【技術分野】
【０００１】
本発明は、建物に軒樋を取り付けるために用いられる軒樋吊具に関する。
【背景技術】
【０００２】
特許文献１には、軒樋吊具が記載されている。この軒樋吊具は、一般的な住宅に軒樋を取り付けるための軒樋吊具であり、軒樋を支持する貝部（支持部）と、貝部をスライド自在に支持する足部を備える。
【０００３】
貝部には上下に貫通するガイド溝（長孔）が形成されている。このガイド溝にボルトを通してナットを締めることで、軒樋を支持する貝部が、足部に対して任意のスライド位置で固定される。足部は、住宅の外壁面に固定される。
【先行技術文献】
【特許文献】
【０００４】
【特許文献１】特開２０１０−２５５３０５号公報
【発明の概要】
【発明が解決しようとする課題】
【０００５】
上記した軒樋吊具は、一般的な住宅の外壁面に固定される構造であり、非住宅の建物には、基本的に対応していない。たとえば、折半屋根を備える非住宅の建物では、折半屋根から下方に大型のボルトを突出させ、この大型のボルトに対して軒樋を取り付けることが一般的である。このタイプの建物においては、上記した一般的な住宅用の軒樋吊具を用いて軒樋を取り付けることが困難であり、そのボルトに対応した専用の軒樋吊具が用いられる。
【０００６】
本発明は、多様なタイプの建物に対応して、軒樋を簡単な作業で取り付けることができる軒樋吊具を提供することを、目的とする。
【課題を解決するための手段】
【０００７】
本発明の一様態に係る軒樋吊具は、第一方向に伸びる軒樋を支持するように構成された支持体と、前記支持体に連結される連結体と、を具備する。
【０００８】
前記支持体は、前記第一方向と直交する第二方向に長くかつ上下に貫通した長孔を有する。前記連結体は、前記長孔に挿入される突起部と、前記長孔の前記第一方向の幅よりも大きな直径のボルト孔と、を有する。前記ボルト孔は、屋根から下方に突出したボルトが挿通されるように、上下に一直線状に貫通している。
【発明の効果】
【０００９】
本発明は、多様なタイプの建物に対応して、軒樋を簡単な作業で取り付けることができるという効果を奏する。
【図面の簡単な説明】
【００１０】
【図１】図１は、一実施形態の軒樋吊具の斜視図である。
【図２】図２は、同上の軒樋吊具の分解斜視図である。
【図３】図３は、同上の軒樋吊具を用いて非住宅の屋根に軒樋を取り付けた状態の鉛直断面図である。
【図４】図４は、図３のＡ−Ａ線断面図である。
【図５】図５は、同上の軒樋吊具を用いて一般住宅の屋根に軒樋を取り付けた状態の鉛直断面図である。
【発明を実施するための形態】
【００１１】
一実施形態の軒樋吊具について、図１〜図５に基づいて説明する。
【００１２】
一実施形態の軒樋吊具は、軒樋９（図１、図３等参照）を支持することができるように構成された支持体１と、支持体１に対して着脱自在に連結される連結体２を備える。
【００１３】
図３に示すように、建物の屋根７に設置されたボルト８の下部に連結体２が固定されることで、支持体１とこれに支持される軒樋９が、屋根７の下方に吊り下げられる。
【００１４】
以下の説明に用いる第一方向Ｄ１と第二方向Ｄ２は、水平面上において互いに直交する方向である。建物に対して軒樋９が位置する方向を前方向と定義したとき、第一方向Ｄ１は左右方向であり、第二方向Ｄ２は前後方向である。
【００１５】
まず、軒樋９について説明する。
【００１６】
軒樋９は、一実施形態の軒樋吊具によって、第一方向Ｄ１（左右方向）に一直線状に伸びる姿勢で吊り下げ支持される。軒樋９は、略水平に保持される底壁９０と、底壁９０の第一方向Ｄ１の一端縁部（前端縁部）から上方に起立した第一壁９１と、底壁９０の第一方向Ｄ１の他端縁部（後端縁部）から上方に起立した第二壁９２を備える。
【００１７】
第一壁９１の上端縁部には、第一耳部９３１が形成されている。第二壁９２の上端縁部には、第二耳部９３２が形成されている。
【００１８】
次に、支持体１について説明する。
【００１９】
支持体１は、軒樋９の第一耳部９３１が弾性的に引っ掛かるように構成された第一引掛け部１１と、軒樋９の第二耳部９３２が弾性的に引っ掛かるように構成された第二引掛け部１２を、第二方向Ｄ２に互いに距離をあけて備える。第一引掛け部１１は、第二引掛け部１２よりも上方に位置する。
【００２０】
第一引掛け部１１と第二引掛け部１２は、第二方向Ｄ２に長く形成された主体部１３を介して、一体に構成されている。主体部１３には、上下に貫通する長孔１５が形成されている。長孔１５は第二方向Ｄ２に沿って一直線状に形成されている（図１、図２参照）。長孔１５の第一方向Ｄ１の幅は、たとえば直径５ｍｍのボルトが挿通され得る程度（５ｍｍよりも僅かに大きな程度）の幅である。
【００２１】
支持体１は、主体部１３の第二方向Ｄ２の端部（第一引掛け部１１が位置する側とは反対側の端部）から延長される起立部１６と、起立部１６の上端部から下方に向けて延長される垂下部１７を、さらに一体に備える。
【００２２】
起立部１６は、上側の部分ほど第二方向Ｄ２において第一引掛け部１１から離れるように（つまり後斜め後方に伸びるように）延長されている。垂下部１７は、軒樋９の第二壁９２の外面に当たるように突出したＬ字状の突起１７５を有する（図３参照）。
【００２３】
軒樋９は、第一耳部９３１が支持体１の第一引掛け部１１に引っ掛かり、第二耳部９３２が支持体１の第二引掛け部１２に引っ掛かった状態で、底壁９０が略水平となる姿勢で支持体１に保持される。
【００２４】
次に、連結体２について説明する。
【００２５】
連結体２は、折半屋根で構成される屋根７（図３参照）に固定されたボルト８の下部と、支持体１を、着脱自在に連結させるように構成されている。
【００２６】
図４等に示すように、連結体２は、支持体１の長孔１５内に挿し入れ可能に形成された突起部２１と、ボルト８が挿通されるように上下に貫通形成されたボルト孔２２を備える。丸孔であるボルト孔２２は、長孔１５の第一方向Ｄ１の幅よりも十分に大きな直径を有する。
【００２７】
ボルト孔２２に挿通されたボルト８に対して、上下両側からワッシャ４１，４２を介してナット４５，４６が締め付けられることで、ボルト８の下部に連結体２が固定される。
【００２８】
一実施形態の軒樋吊具において、ボルト８の直径は８ｍｍである。支持体１の長孔１５にボルト８を通すことはできないが、連結体２のボルト孔２２には、径方向に多少のクリアランスをもってボルト８を通すことが可能である。
【００２９】
一実施形態の軒樋吊具では、連結体２が、上部材２ａと下部材２ｂの二部材で構成されている。上部材２ａと下部材２ｂについて、順に説明する。
【００３０】
上部材２ａは、略水平に保持される上板２０ａと、上板２０ａの互いに異なる箇所から下方に突出した上突起２１ａおよび上胴部２５ａを、一体に有する。
【００３１】
上突起２１ａは、上板２０ａの第一方向Ｄ１の第１端部から下方に突出している。上胴部２５ａは、上板２０ａの第一方向Ｄ１の第２端部から、下方に突出している。上板２０ａの第１端部と第２端部は、第一方向Ｄ１において互いに反対に位置する。上胴部２５ａには、丸孔である上ボルト孔２２ａが上下に貫通形成されている。
【００３２】
上胴部２５ａの下部には、支持体１にむけて突出する突き当て部２３ａが、一体に設けられている。突き当て部２３ａは、主体部１３の下部の側面に突き当たるように構成されている。
【００３３】
上突起２１ａは、突起部２１の上側部分を構成する突起であり、長孔１５に対して上側から、第一方向Ｄ１に多少のクリアランスをもって挿入される。上ボルト孔２２ａは、上胴部２５ａの主体部分を上下に貫通する孔であり、ボルト孔２２の上側部分を構成する。
【００３４】
下部材２ｂは、略水平に保持される下板２０ｂと、下板２０ｂから上方に突出するストッパ２３ｂ、下胴部２５ｂおよび下突起２１ｂを、一体に有する。
【００３５】
ストッパ２３ｂは、下板２０ｂの第一方向Ｄ１の第１端部から、上方に突出している。ストッパ２３ｂは、主体部１３の下部の側面に当たるように構成されている。
【００３６】
下胴部２５ｂは、下板２０ｂの第一方向Ｄ１の第２端部から、上方に突出している。下板２０ｂの第１端部と第２端部は、第一方向Ｄ１において互いに反対に位置する。
【００３７】
下突起２１ｂは、下板２０ｂのストッパ２３ｂと下胴部２５ｂの間の位置から、上方に突出している。下胴部２５ｂには、丸孔である下ボルト孔２２ｂが、上下に貫通形成されている。
【００３８】
下突起２１ｂは、突起部２１の下側部分を構成する突起であり、長孔１５に対して下側から、第一方向Ｄ１に多少のクリアランスをもって挿入される。長孔１５に挿入された上突起２１ａと下突起２１ｂは、上下に距離をあけて位置する。下ボルト孔２２ｂは、下胴部２５ｂの主体部分を上下に貫通する孔であり、ボルト孔２２の下側部分を構成する。
【００３９】
上部材２ａと下部材２ｂが組み合わさって連結体２を構成するとき、上胴部２５ａの下端面の少なくとも一部で構成される上接触面２７ａと、下胴部２５ｂの上端面の少なくとも一部で構成される下接触面２７ｂが、互いに摺動自在に接触する。
【００４０】
上接触面２７ａには、上ボルト孔２２ａの下端開口が位置し、下接触面２７ｂには、下ボルト孔２２ｂの上端開口が位置する。上接触面２７ａと下接触面２７ｂが接触した状態において、上ボルト孔２２ａと下ボルト孔２２ｂが上下に一直線状に連通する。
【００４１】
上接触面２７ａと下接触面２７ｂは共に、水平面に対して傾いた傾斜面であり、具体的には、第一方向Ｄ１において支持体１から離れた部分ほど上方に位置するように傾いた平坦面である（図４参照）。
【００４２】
言い換えれば、上接触面２７ａと下接触面２７ｂは共に、水平面に対して傾いた仮想面Ｓ１上に位置する。仮想面Ｓ１は、第一方向Ｄ１において支持体１から離れた部分ほど上方に位置するように傾いた仮想的な平坦面である。上接触面２７ａと下接触面２７ｂは、仮想面Ｓ１上において互いに接触する。
【００４３】
一実施形態の軒樋吊具は、上記した支持体１と連結体２（上部材２ａおよび下部材２ｂ）で構成されているので、径の大きなボルト８に対して、簡単な作業で支持体１を取付固定することができる。
【００４４】
具体的には、上突起２１ａと下突起２１ｂが長孔１５に挿し込まれ、かつ上接触面２７ａと下接触面２７ｂが互いに接触するように上部材２ａと下部材２ｂを組み合せ、ボルト８を介して、上部材２ａと下部材２ｂを上下両側からナット４５，４６で締め付ける。
【００４５】
このとき、上接触面２７ａと下接触面２７ｂは、上接触面２７ａが下接触面２７ｂに対して仮想面Ｓ１に沿って斜め下方に移動するように摺接する。つまりナット４５，４６の締め付けに応じて、上部材２ａの全体が、下部材２ｂに対して仮想面Ｓ１に沿って斜め下方に滑るように移動する。ナット４５，４６を上下に締め付けるほど、上部材２ａは下部材２ｂに対して図中の矢印方向に移動する。
【００４６】
ある程度までナット４５，４６を締め付けた段階で、上部材２ａが有する突き当て部２３ａが、支持体１が有する主体部１３の第一方向Ｄ１の第１端部１３１に押し当たる。加えて、下部材２ｂが有するストッパ２３ｂが、主体部１３の第一方向Ｄ１の第２端部１３２に対して、突き当て部２３ａとは反対側から押し当たる。
【００４７】
このとき、突き当て部２３ａとストッパ２３ｂは、第一方向Ｄ１において互いに対向する位置関係にある。突き当て部２３ａのストッパ２３ｂに対向する側の面が、第一押圧面２８ａを構成する。第一押圧面２８ａは、支持体１の第１端部１３１に当たって支持体１を押し込むように構成された面である。
【００４８】
ストッパ２３ｂの突き当て部２３ａに対向する側の面は、第二押圧面２８ｂを構成する。第二押圧面２８ｂは、支持体１の第２端部１３２に当たって支持体１を止めるように構成された面である。支持体１の主体部１３は、互いに接近する第一押圧面２８ａと第二押圧面２８ｂによって第一方向Ｄ１の両側から挟み込まることで、連結体２（上部材２ａおよび下部材２ｂ）に対して強固に連結される。
【００４９】
加えて、一実施形態の軒樋吊具では、ある程度までナット４５，４６を締め付けた段階で、支持体１の主体部１３が、上部材２ａの一部を構成する上板２０ａと、下部材２ｂの一部を構成する下板２０ｂの間で、上下両側から挟み込まれる。これによっても、支持体１と連結体２は安定して連結固定される。
【００５０】
支持体１の上下位置は、ボルト８に対するナット４５，４６の上下位置を変更することで、調整可能である。
【００５１】
支持体１の第二方向Ｄ２の位置（前後位置）は、長孔１５内での突起部２１（上突起２１ａおよび下突起２１ｂ）の第二方向Ｄ２の位置を変更することで、調整可能である。支持体１の第二方向Ｄ２の位置を変更する際には、ナット４５，４６の締め付けを一旦緩め、位置変更後に再度ナット４５，４６を締め付ければよい。
【００５２】
また、一実施形態の軒樋吊具が備える支持体１は、対応する構造の固定部材６を用いることで、一般的な住宅の外壁面５に固定することも可能である（図５参照）。この場合、上下に貫通したボルト孔６２を有する固定部材６を、外壁面５の適宜箇所に固定し、ボルト孔６２と長孔１５を通じて、ボルト８よりも小径（たとえば直径５ｍｍ）であるボルト３１を下側から挿し通し、ボルト３１に対してナット３２を締め付ければよい。
【００５３】
言い換えれば、一実施形態の軒樋吊具によれば、一般的な住宅に軒樋９を吊り下げるために用いられる支持体１に、連結体２を付加するだけで、非住宅の建物が備える大径のボルト８に対しても支持体１を連結させることが可能になる。一般的な住宅と非住宅で支持体１が共用されることで、製造コストが削減される。
【００５４】
以上、添付図面に基づいて説明したように、一実施形態の軒樋吊具は、下記の構成を第一の特徴として備える。
【００５５】
つまり、一実施形態の軒樋吊具は、第一方向Ｄ１に伸びる軒樋９を支持するように構成された支持体１と、支持体１に連結される連結体２を具備する。支持体１は、第一方向Ｄ１と直交する第二方向Ｄ２に長くかつ上下に貫通した長孔１５を有する。連結体２は、長孔１５に挿入される突起部２１と、長孔１５の第一方向Ｄ１の幅よりも大きな直径のボルト孔２２を有する。ボルト孔２２は、屋根７から下方に突出したボルト８が挿通されるように、上下に一直線状に貫通している。
【００５６】
したがって、第一の特徴を備える一実施形態の軒樋吊具では、長孔１５には挿通することができない大型のボルト８に対しても、連結体２を介して支持体１を固定することができる。そのため、大型のボルト８が垂下された非住宅の屋根７に対しても、軒樋９を吊り下げ支持することができる。ボルト８の径にあわせて連結体２の種類（ボルト孔２２の径）を選択すれば、多様なボルト８に対しても対応可能である。また、長孔１５を利用して支持体１を専用の固定部材６に連結させれば、軒樋９を一般的な住宅の外壁面５に取り付けることも可能である。加えて、一実施形態の軒樋吊具によれば、第二方向Ｄ２における支持体１（軒樋９）の位置も自在に変更することができる。
【００５７】
一実施形態の軒樋吊具は、下記の付加的な構成を、第二の特徴として備える。
【００５８】
つまり、一実施形態の軒樋吊具において、連結体２は、上部材２ａと、上部材２ａの下方に配される下部材２ｂを含む。突起部２１は、長孔１５に対して上側から挿入されるように上部材２ａに形成された上突起２１ａと、長孔１５に対して下側から挿入されるように下部材２ｂに形成された下突起２１ｂを含む。ボルト孔２２は、ボルト８が挿通されるように上部材２ａに形成された上ボルト孔２２ａと、ボルト８が挿通されるように下部材２ｂに形成された下ボルト孔２２ｂを含む。
【００５９】
したがって、第二の特徴を備える一実施形態の軒樋吊具では、上部材２ａと下部材２ｂを組み合わせる簡単な作業で軒樋吊具を構成し、軒樋９を取り付けることができる。
【００６０】
一実施形態の軒樋吊具は、下記の付加的な構成を、第三の特徴として備える。
【００６１】
つまり、一実施形態の軒樋吊具において、上部材２ａは、上接触面２７ａを有する。下部材２ｂは、上接触面２７ａに摺接するように構成された下接触面２７ｂを有する。上接触面２７ａと下接触面２７ｂは共に、水平面に対して傾いた傾斜面である。
【００６２】
したがって、第三の特徴を備える一実施形態の軒樋吊具では、上部材２ａと下部材２ｂを上下両側から押え付けると、上部材２ａと下部材２ｂが上下方向において互いに接近するように摺動し、支持体１を、上部材２ａと下部材２ｂで上下に挟み込むことができる。
【００６３】
一実施形態の軒樋吊具は、下記の付加的な構成を、第四の特徴として備える。
【００６４】
つまり、一実施形態の軒樋吊具において、上部材２ａは、支持体１の第一方向Ｄ１の第１端部１３１に当たるように構成された第一押圧面２８ａを、さらに有する。下部材２ｂは、支持体１の第１端部１３１とは第一方向Ｄ１において反端側の第２端部１３２に当たるように構成された第二押圧面２８ｂを、さらに有する。上部材２ａと下部材２ｂは、下接触面２７ａに対して上接触面２７ｂが斜め下方に移動するほどに、第一押圧面２８ａと第二押圧面２８ｂが接近するように構成されている。
【００６５】
したがって、第四の特徴を備える一実施形態の軒樋吊具では、上部材２ａと下部材２ｂを上下両側から押え付けることで、支持体１を、第一押圧面２８ａと第二押圧面２８ｂで第一方向Ｄ１の両側から挟み込むことができる。
【００６６】
以上、一実施形態に基づいて軒樋吊具の各構成を説明したが、軒樋吊具の各構成は前記した実施形態に限定されず、適宜の設計変更を行うことや、公知の技術を適宜組み合わせて適用することが可能である。
【符号の説明】
【００６７】
１  支持体
１３１  第１端部
１３２  第２端部
１５  長孔
２  連結体
２ａ  上部材
２ｂ  下部材
２１  突起部
２１ａ  上突起
２１ｂ  下突起
２２  ボルト孔
２２ａ  上ボルト孔
２２ｂ  下ボルト孔
２７ａ  上接触面
２７ｂ  下接触面
２８ａ  第一押圧面
２８ｂ  第二押圧面
７  屋根
８  ボルト
９  軒樋
Ｄ１  第一方向
Ｄ２  第二方向
【図１】
2018109282.tif 000003
【図２】
2018109282.tif 000004
【図３】
2018109282.tif 000005
【図４】
2018109282.tif 000006
【図５】
2018109282.tif 000007